【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
全二重無線トンネリング装置であって、
前記無線トンネリング装置は、
第１の偏波を有するローカル送信アンテナと、
第１の偏波とは異なる第２の偏波を有するローカル受信アンテナと、
前記ローカル送信アンテナに連結されるローカル無線送信機と、
前記ローカル受信アンテナに連結されるローカル無線受信機とを備え、
前記ローカル送信アンテナは、キャリア周波数で外部に出ていく信号を送信し、
前記ローカル受信アンテナは、前記キャリア周波数で外部から入ってくる信号を受信し、前記入ってくる信号は、前記出ていく信号の送信と同時に受信され、
前記ローカル無線送信機は、
（ｉ）オンオフキーイングを使用して、前記無線トンネリング装置に連結されたローカルソース装置からの入力ローカルデータ信号に基づいて得られるローカル送信ベースバンド信号に応じて、キャリア信号を変調して、前記キャリア周波数を中心とするローカル送信無線信号を生成し、
（ｉｉ）前記ローカル送信無線信号を前記ローカル送信アンテナを通じて送信するように構成され、
前記ローカル無線受信機は、
オンオフキーイング復調器と、
前記オンオフキーイング復調器に連結されるクロック及びデータ回復回路と、を備え、
前記オンオフキーイング復調器は、
前記ローカル無線送信機による前記ローカル送信無線信号の送信と同時に前記ローカル受信アンテナから、前記キャリア周波数を中心とするローカル受信無線信号を受信し、前記ローカル受信無線信号をローカル受信ベースバンド信号に復調するように構成され、
前記クロック及びデータ回復回路は、
（ｉ）前記ローカル受信ベースバンド信号を受信し、
（ｉｉ）前記ローカル受信ベースバンド信号にタイミング回復を実施し、
（ｉｉｉ）回復デジタル表現のローカルクロックに同期した前記ローカル受信ベースバンド信号のデジタル表現を回復し、
（ｉｖ）前記ローカルソース装置に、前記回復デジタル表現を備えたデータ信号を提供し、前記データ信号は、前記ローカルソース装置とリモートソース装置の間の有線通信プロトコルに準拠する無線トンネリング装置。
【請求項２】
請求項１に記載の無線トンネリング装置において、
前記ローカル無線送信機は、
前記ローカルソース装置から前記入力ローカルデータ信号を受信し、ローカルクロックに同期したローカル送信デジタル信号を提供するように構成された有線受信機及びタイミング回復ブロックと、
前記有線通信プロトコルによって実施される第１のフレーム構造及び第１の符号化方式に応じて、前記ローカル送信デジタル信号を受信し、前記ローカル無線送信機によって実施される第２のフレーム構造及び第２の符号化方式に応じて、前記ローカル送信デジタル信号を再符号化して、再符号化送信デジタル信号を生成するように構成された高周波数送信回路と、
前記再符号化送信デジタル信号を受信し、前記ローカル送信ベースバンド信号を生成するように構成されたデジタルアナログコンバータと、をさらに備え、
前記ローカル無線受信機は、
ローカルデータクロックに基づいて動作し、
前記回復デジタル表現を受信し、前記有線通信プロトコルの前記第１のフレーム構造及び前記第１の符号化方式に応じて、前記回復デジタル表現を再符号化して、再符号化回復データ信号を生成し、前記再符号化回復データ信号を前記ローカルソース装置に提供するように構成された高周波数受信回路をさらに備える無線トンネリング装置。
【請求項３】
請求項２に記載の無線トンネリング装置において、
前記高周波数送信回路は、ローカル送信デジタル信号を未変調で引き渡すように構成され、
前記高周波数受信回路は、前記回復デジタル表現を未変調で引き渡す無線トンネリング装置。
【請求項４】
請求項２に記載の無線トンネリング装置において、
前記ローカル無線送信機は、ローカル送信データ信号にデュオバイナリ符号化を実施して、ゼロレベル、及び、逆の符号を有する２つの非ゼロレベルを備える３つの可能なレベルでローカル再符号化送信デジタル信号を生成するように構成される無線トンネリング装置。
【請求項５】
請求項２に記載の無線トンネリング装置において、
前記高周波数送信回路は、前方誤り訂正符号化を実施するように構成され、
前記高周波数受信回路は、前方誤り訂正復号化を実施するように構成される無線トンネリング装置。
【請求項６】
請求項１に記載の無線トンネリング装置において、
前記ローカル受信無線信号は、前記有線通信プロトコルに準拠したリモートデータ信号に対応する信号要素を備える無線トンネリング装置。
【請求項７】
請求項６に記載の無線トンネリング装置において、
前記信号要素は、前記第２の偏波を有するリモート送信アンテナを通じて送信されたリモート送信無線信号に対応する無線トンネリング装置。
【請求項８】
請求項６に記載の無線トンネリング装置において、
前記信号要素は、リモート送信無線信号に対応し、前記リモート送信無線信号は、前記リモートデータ信号に応じたリモート無線トンネリング装置によって生成され、前記無線トンネリング装置は、有線接続を通じて、前記リモートソース装置に連結される無線トンネリング装置。
【請求項９】
請求項１に記載の無線トンネリング装置において、
前記ローカルソース装置及び前記リモートソース装置は、前記無線トンネリング装置とリモート無線トンネリング装置の間の無線接続を通じて、前記有線通信プロトコルを通じて、互いに通信する無線トンネリング装置。
【請求項１０】
請求項１に記載の無線トンネリング装置において、
前記ローカル送信アンテナと前記ローカル受信アンテナの間の距離は、１５ｃｍ未満である無線トンネリング装置。
【請求項１１】
請求項１に記載の無線トンネリング装置において、
前記データ信号のデータ転送速度は、少なくとも１Ｇｂｐｓであり、前記キャリア周波数は、２０ＧＨｚを上回る無線トンネリング装置。
【請求項１２】
請求項１に記載の無線トンネリング装置において、
前記オンオフキーイング復調器は、前記ローカル受信無線信号を復調するための合成器を採用することなく、エンベロープ検出器を備える無線トンネリング装置。
【請求項１３】
請求項１に記載の無線トンネリング装置において、
前記クロック及びデータ回復回路は、
前記有線通信プロトコルに準拠した前記データ信号を取得するために、第１のベースバンド周波数で動作し、
前記ローカル無線受信機は、
前記オンオフキーイング復調器に連結されたベースバンド受信回路をさらに備え、
前記ベースバンド受信回路は、前記ローカル受信ベースバンド信号を受信し、前記ローカル受信ベースバンド信号に基づいて前記有線通信プロトコルに準拠しない他のデータ信号を生成するために、前記第１のベースバンド周波数より低い第２のベースバンド周波数で動作する無線トンネリング装置。
【請求項１４】
全二重送受信機であって、
前記全二重送受信機は、
第１の偏波を有するローカル送信アンテナに連結されるローカル無線送信機と、
前記第１の偏波とは異なる第２の偏波を有するローカル受信アンテナに連結されるローカル無線受信機とを備え、
前記ローカル無線送信機は、
キャリア周波数で前記ローカル送信アンテナを通じてローカル送信無線信号を送信するように構成され、
前記ローカル無線受信機は、
前記キャリア周波数で前記ローカル受信アンテナを通じてローカル受信無線信号を受信し、前記ローカル受信無線信号は前記ローカル送信無線信号の送信と同時に受信され、
前記ローカル無線受信機は、
復調器と、
前記復調器に連結されるクロック及びデータ回復回路と、を備え
前記復調器は、
前記ローカル無線送信機による前記ローカル送信無線信号の送信と同時に、前記キャリア周波数で前記ローカル受信アンテナから受信したローカル受信無線信号をローカル受信ベースバンド信号に復調し、
前記クロック及びデータ回復回路は、
（ｉ）前記ローカル受信ベースバンド信号を受信し、
（ｉｉ）前記ローカル受信ベースバンド信号にタイミング回復を実施し、
（ｉｉｉ）回復デジタル表現のローカルクロックに同期した前記ローカル受信ベースバンド信号の前記デジタル表現を回復し、
（ｉｖ）前記回復デジタル表現を備えるデータ信号を生成する全二重送受信機。
【請求項１５】
請求項１４に記載の全二重送受信機において、
前記ローカル送信アンテナと前記ローカル受信アンテナの間の距離は、１５ｃｍ未満である全二重送受信機。
【請求項１６】
請求項１４に記載の全二重送受信機において、
前記データ信号のデータ転送速度は、少なくとも１Ｇｂｐｓであり、前記キャリア周波数は、２０ＧＨｚを上回る全二重送受信機。
【請求項１７】
請求項１４に記載の全二重送受信機において、
前記復調器は、前記ローカル受信無線信号を復調するための合成器を採用することなく、エンベロープ検出器を備える全二重送受信機。
【請求項１８】
請求項１４に記載の全二重送受信機において、
前記データ信号は、有線通信プロトコルに準拠する全二重送受信機。
【請求項１９】
請求項１８に記載の全二重送受信機において、
前記クロック及びデータ回復回路は、
前記有線通信プロトコルに準拠した前記データ信号を取得するために、第１のベースバンド周波数で動作し、
前記ローカル無線受信機は、
前記復調器に連結されたベースバンド受信回路をさらに備え、
前記ベースバンド受信回路は、前記ローカル受信ベースバンド信号を受信し、前記ローカル受信ベースバンド信号に基づいて前記有線通信プロトコルに準拠しない他のデータ信号を生成するために、前記第１のベースバンド周波数より低い第２のベースバンド周波数で動作する全二重送受信機。
【請求項２０】
ローカルソース装置に連結されたローカル無線送信機により、前記ローカルソース装置から入力ローカルデータ信号を受信し、
前記ローカル無線送信機により、オンオフキーイングを使用して、前記ローカルソース装置から前記入力ローカルデータ信号に基づいて取得されたローカル送信ベースバンド信号に応じて変調されるキャリア信号を変調して、キャリア周波数を中心とするローカル送信無線信号を生成し、
前記ローカル無線送信機により、前記ローカル送信無線信号を第１の偏波を有するローカル送信アンテナを通じて送信し、
オンオフキーイング復調器により、前記ローカル無線送信機による前記ローカル送信無線信号の送信と同時に、前記第１の偏波とは異なる第２の偏波を有するローカル受信アンテナから、前記キャリア周波数でローカル受信無線信号を受信し、前記ローカル受信無線信号は、前記ローカル送信無線信号とは異なり、
前記オンオフキーイング復調器により、前記ローカル受信無線信号をローカル受信ベースバンド信号に復調し、
クロック及びデータ回復回路により、前記ローカル受信ベースバンド信号を受信し、
前記クロック及びデータ回復回路により、前記ローカル受信ベースバンド信号にタイミング回復を実施し、
前記クロック及びデータ回復回路により、回復デジタル表現のローカルクロックに同期した前記ローカル受信ベースバンド信号の前記デジタル表現を回復し、
前記回復デジタル表現を備えたデータ信号を前記ローカルソース装置に提供することを備える方法。
【手続補正２】
【補正対象書類名】明細書
【補正対象項目名】０００７
【補正方法】変更
【補正の内容】
【０００７】
一実施形態において、ローカル無線トンネリング装置は、ローカル送信アンテナと、ローカル受信アンテナと、ローカル無線送信機と、ローカル無線受信機とを含む。ローカル送信アンテナは、第１の偏波を有し、ローカル受信アンテナは、第１の偏波とは異なる第２の偏波を有する。ローカル送信アンテナは、キャリア周波数で外部に出ていく信号を送信する。ローカル受信アンテナは、キャリア周波数で外部から入ってくる信号を受信し、入ってくる信号は、出ていく信号の送信と同時に受信される。ローカル無線送信機は、ローカル送信アンテナに連結される。ローカル無線送信機は、（ｉ）オンオフキーイングを使用して、ローカルソース装置からの入力ローカルデータ信号に基づいて得られたローカル送信ベースバンド信号に応じて、キャリア信号を変調して、キャリア周波数を中心としてローカル送信無線信号を生成し、（ｉｉ）ローカル送信無線信号をローカル送信アンテナを通じて送信するように構成される。ローカル無線受信機は、ローカル受信アンテナに連結される。ローカル無線受信機は、オンオフキーイング復調器と、オンオフキーイング復調器に連結されるクロック及びデータ回復回路とを含む。オンオフキーイング復調器は、ローカル無線送信機によるローカル送信無線信号の送信と同時に、ローカル受信アンテナからキャリア周波数を中心とするローカル受信無線信号を受信し、ローカル受信無線信号をローカル受信ベースバンド信号に復調するように構成される。クロック及びデータ回復回路は、（ｉ）ローカル受信ベースバンド信号を受信し、（ｉｉ）ローカル受信ベースバンド信号にタイミング回復を実施し、（ｉｉｉ）回復デジタル表現のローカルクロックに同期したローカル受信ベースバンド信号のデジタル表現を回復し、（ｉｖ）ローカルソース装置に、回復デジタル表現を備えたデータ信号を提供するように構成され、データ信号は、ローカルソース装置とリモートソース装置の間の有線通信プロトコルに準拠する。
【手続補正３】
【補正対象書類名】明細書
【補正対象項目名】００１４
【補正方法】変更
【補正の内容】
【００１４】
一実施形態において、全二重送受信機を開示する。全二重送受信機は、第１の偏波を有するローカル送信アンテナに連結され、キャリア周波数でローカル送信アンテナを通じてローカル送信無線信号を送信するように構成されたローカル無線送信機と、第１の偏波とは異なる第２の偏波を有するローカル受信アンテナに連結されたローカル無線受信機とを備える。ローカル無線受信機は、キャリア周波数でローカル受信アンテナを通じてローカル受信無線信号を受信し、ローカル受信無線信号はローカル送信無線信号の送信と同時に受信される。ローカル無線受信機は、ローカル無線送信機によるローカル送信無線信号の送信と同時に、キャリア周波数でローカル受信アンテナから受信されるローカル受信無線信号をローカル受信ベースバンド信号に復調する復調器と、復調器に連結され、（ｉ）ローカル受信ベースバンド信号を受信し、（ｉｉ）ローカル受信ベースバンド信号にタイミング回復を実施し、（ｉｉｉ）回復デジタル表現のローカルクロックに同期したローカル受信ベースバンド信号のデジタル表現を回復し、（ｉｖ）回復デジタル表現を備えるデータ信号を生成するクロック及びデータ回復回路とを備える。
【手続補正４】
【補正対象書類名】明細書
【補正対象項目名】００２１
【補正方法】変更
【補正の内容】
【００２１】
１つ以上の実施形態において、全二重通信を成立させる方法を開示する。この方法は、ローカルソース装置に連結されたローカル無線送信機により、ローカルソース装置から入力ローカルデータ信号を受信し、ローカル無線送信機により、オンオフキーイングを使用して、ローカルソース装置からの入力ローカルデータ信号に基づいて得られたローカル送信ベースバンド信号に応じて変調されるキャリア信号を変調して、キャリア周波数を中心とするローカル送信無線信号を生成し、ローカル無線送信機により、ローカル送信無線信号を第１の偏波を有するローカル送信アンテナを通じて送信し、オンオフキーイング復調器により、ローカル無線送信機によるローカル送信無線信号の送信と同時に、第１の偏波とは異なる第２の偏波を有するローカル受信アンテナから、キャリア周波数でローカル受信無線信号を受信し、ローカル受信無線信号は、ローカル送信無線信号とは異なり、オンオフキーイング復調器により、ローカル受信無線信号をローカル受信ベースバンド信号に復調し、クロック及びデータ回復回路により、ローカル受信ベースバンド信号を受信することと、クロック及びデータ回復回路により、ローカル受信ベースバンド信号にタイミング回復を実施することと、クロック及びデータ回復回路により、回復デジタル表現のローカルクロックと同期したローカル受信ベースバンド信号のデジタル表現を回復し、回復デジタル表現を備えたデータ信号をローカルソース装置に提供することを含む。
【手続補正５】
【補正対象書類名】明細書
【補正対象項目名】００７１
【補正方法】変更
【補正の内容】
【００７１】
当業者は、本開示を熟読することにより、本明細書に開示の原則を通じて、さらに追加の代替実施形態に想到するであろう。そこで、特定の実施形態及び適用例について図示及び説明したが、開示の実施形態は、本明細書に開示の正確な構造及び要素に限定されるものでないことが理解されなければならない。当業者にとって明らかとなる種々の修正、変化、及び変更は、本明細書の範囲から逸脱することなく、本明細書に開示の方法及び装置の配置、動作、及び詳細の範囲内となり得る。
以下、参考形態の例を付記する。
１．無線トンネリング装置であって、
前記無線トンネリング装置は、
第１の偏波を有するローカル送信アンテナと、
第１の偏波とは異なる第２の偏波を有するローカル受信アンテナと、
前記ローカル送信アンテナに連結されるローカル無線送信機と、
前記ローカル受信アンテナに連結されるローカル無線受信機とを備え、
前記ローカル無線送信機は、
（ｉ）オンオフキーイングを使用して、前記無線トンネリング装置に連結されたローカルソース装置からの入力ローカルデータ信号に基づいて得られるローカル送信ベースバンド信号に応じて、キャリア信号を変調して、キャリア周波数を中心とするローカル送信無線信号を生成し、
（ｉｉ）前記ローカル送信無線信号を前記ローカル送信アンテナを通じて送信するように構成され、
前記ローカル無線受信機は、
オンオフキーイング復調器と、
前記オンオフキーイング復調器に連結されるクロック及びデータ回復回路と、を備え、
前記オンオフキーイング復調器は、
前記ローカル無線送信機による前記ローカル送信無線信号の送信と同時に前記ローカル受信アンテナから、前記キャリア周波数を中心とするローカル受信無線信号を受信し、前記ローカル受信無線信号をローカル受信ベースバンド信号に復調するように構成され、
前記クロック及びデータ回復回路は、
（ｉ）前記ローカル受信ベースバンド信号を受信し、
（ｉｉ）前記ローカル受信ベースバンド信号にタイミング回復を実施し、
（ｉｉｉ）回復デジタル表現のローカルクロックに同期した前記ローカル受信ベースバンド信号のデジタル表現を回復し、
（ｉｖ）前記ローカルソース装置に、前記回復デジタル表現を備えたデータ信号を提供し、前記データ信号は、前記ローカルソース装置とリモートソース装置の間の有線通信プロトコルに準拠する無線トンネリング装置。
２．  １．に記載の無線トンネリング装置において、
前記ローカル無線送信機は、
前記ローカルソース装置から前記入力ローカルデータ信号を受信し、ローカルクロックに同期したローカル送信デジタル信号を提供するように構成された有線受信機及びタイミング回復ブロックと、
前記有線通信プロトコルによって実施される第１のフレーム構造及び第１の符号化方式に応じて、前記ローカル送信デジタル信号を受信し、前記ローカル無線送信機によって実施される第２のフレーム構造及び第２の符号化方式に応じて、前記ローカル送信デジタル信号を再符号化して、再符号化送信デジタル信号を生成するように構成された高周波数送信回路と、
前記再符号化送信デジタル信号を受信し、前記ローカル送信ベースバンド信号を生成するように構成されたデジタルアナログコンバータと、をさらに備え、
前記ローカル無線受信機は、
ローカルデータクロックに基づいて動作し、
前記回復デジタル表現を受信し、前記有線通信プロトコルの前記第１のフレーム構造及び前記第１の符号化方式に応じて、前記回復デジタル表現を再符号化して、再符号化回復データ信号を生成し、前記再符号化回復データ信号を前記ローカルソース装置に提供するように構成された高周波数受信回路をさらに備える無線トンネリング装置。
３．  ２．に記載の無線トンネリング装置において、
前記高周波数送信回路は、ローカル送信デジタル信号を未変調で引き渡すように構成され、
前記高周波数受信回路は、前記回復デジタル表現を未変調で引き渡す無線トンネリング装置。
４．  ２．に記載の無線トンネリング装置において、
前記ローカル無線送信機は、ローカル送信データ信号にデュオバイナリ符号化を実施して、ゼロレベル、及び、逆の符号を有する２つの非ゼロレベルを備える３つの可能なレベルでローカル再符号化送信デジタル信号を生成するように構成される無線トンネリング装置。
５．  ２．に記載の無線トンネリング装置において、
前記高周波数送信回路は、前方誤り訂正符号化を実施するように構成され、
前記高周波数受信回路は、前方誤り訂正復号化を実施するように構成される無線トンネリング装置。
６．  １．に記載の無線トンネリング装置において、
前記ローカル受信無線信号は、前記有線通信プロトコルに準拠したリモートデータ信号に対応する信号要素を備える無線トンネリング装置。
７．  ６．に記載の無線トンネリング装置において、
前記信号要素は、前記第２の偏波を有するリモート送信アンテナを通じて送信されたリモート送信無線信号に対応する無線トンネリング装置。
８．  ６．に記載の無線トンネリング装置において、
前記信号要素は、リモート送信無線信号に対応し、前記リモート送信無線信号は、前記リモートデータ信号に応じたリモート無線トンネリング装置によって生成され、前記無線トンネリング装置は、有線接続を通じて、前記リモートソース装置に連結される無線トンネリング装置。
９．  １．に記載の無線トンネリング装置において、
前記ローカルソース装置及び前記リモートソース装置は、前記無線トンネリング装置とリモート無線トンネリング装置の間の無線接続を通じて、前記有線通信プロトコルを通じて、互いに通信する無線トンネリング装置。
１０．  １．に記載の無線トンネリング装置において、
前記ローカル送信アンテナと前記ローカル受信アンテナの間の距離は、１５ｃｍ未満である無線トンネリング装置。
１１．  １．に記載の無線トンネリング装置において、
前記データ信号のデータ転送速度は、少なくとも１Ｇｂｐｓであり、前記キャリア周波数は、２０ＧＨｚを上回る無線トンネリング装置。
１２．  １．に記載の無線トンネリング装置において、
前記オンオフキーイング復調器は、前記ローカル受信無線信号を復調するための合成器を採用することなく、エンベロープ検出器を備える無線トンネリング装置。
１３．  １．に記載の無線トンネリング装置において、
前記クロック及びデータ回復回路は、
前記有線通信プロトコルに準拠した前記データ信号を取得するために、第１のベースバンド周波数で動作し、
前記ローカル無線受信機は、
前記オンオフキーイング復調器に連結されたベースバンド受信回路をさらに備え、
前記ベースバンド受信回路は、前記ローカル受信ベースバンド信号を受信し、前記ローカル受信ベースバンド信号に基づいて前記有線通信プロトコルに準拠しない他のデータ信号を生成するために、前記第１のベースバンド周波数より低い第２のベースバンド周波数で動作する無線トンネリング装置。
１４．  全二重送受信機であって、
前記全二重送受信機は、
第１の偏波を有するローカル送信アンテナに連結されるローカル無線送信機と、
前記第１の偏波とは異なる第２の偏波を有するローカル受信アンテナに連結されるローカル無線受信機とを備え、
前記ローカル無線送信機は、
キャリア周波数で前記ローカル送信アンテナを通じてローカル送信無線信号を送信するように構成され、
前記ローカル無線受信機は、
復調器と、
前記復調器に連結されるクロック及びデータ回復回路と、を備え
前記復調器は、
前記ローカル無線送信機による前記ローカル送信無線信号の送信と同時に、前記キャリア周波数で前記ローカル受信アンテナから受信したローカル受信無線信号をローカル受信ベースバンド信号に復調し、
前記クロック及びデータ回復回路は、
（ｉ）前記ローカル受信ベースバンド信号を受信し、
（ｉｉ）前記ローカル受信ベースバンド信号にタイミング回復を実施し、
（ｉｉｉ）回復デジタル表現のローカルクロックに同期した前記ローカル受信ベースバンド信号の前記デジタル表現を回復し、
（ｉｖ）前記回復デジタル表現を備えるデータ信号を生成する全二重送受信機。
１５．  １４．に記載の全二重送受信機において、
前記ローカル送信アンテナと前記ローカル受信アンテナの間の距離は、１５ｃｍ未満である全二重送受信機。
１６．  １４．に記載の全二重送受信機において、
前記データ信号のデータ転送速度は、少なくとも１Ｇｂｐｓであり、前記キャリア周波数は、２０ＧＨｚを上回る全二重送受信機。
１７．  １４．に記載の全二重送受信機において、
前記復調器は、前記ローカル受信無線信号を復調するための合成器を採用することなく、エンベロープ検出器を備える全二重送受信機。
１８．  １４．に記載の全二重送受信機において、
前記データ信号は、有線通信プロトコルに準拠する全二重送受信機。
１９．  １８．に記載の全二重送受信機において、
前記クロック及びデータ回復回路は、
前記有線通信プロトコルに準拠した前記データ信号を取得するために、第１のベースバンド周波数で動作し、
前記ローカル無線受信機は、
前記復調器に連結されたベースバンド受信回路をさらに備え、
前記ベースバンド受信回路は、前記ローカル受信ベースバンド信号を受信し、前記ローカル受信ベースバンド信号に基づいて前記有線通信プロトコルに準拠しない他のデータ信号を生成するために、前記第１のベースバンド周波数より低い第２のベースバンド周波数で動作する全二重送受信機。
２０．  ローカルソース装置に連結されたローカル無線送信機により、前記ローカルソース装置から入力ローカルデータ信号を受信し、
前記ローカル無線送信機により、オンオフキーイングを使用して、前記ローカルソース装置から前記入力ローカルデータ信号に基づいて取得されたローカル送信ベースバンド信号に応じて変調されるキャリア信号を変調して、キャリア周波数を中心とするローカル送信無線信号を生成し、
前記ローカル無線送信機により、前記ローカル送信無線信号を第１の偏波を有するローカル送信アンテナを通じて送信し、
オンオフキーイング復調器により、前記ローカル無線送信機による前記ローカル送信無線信号の送信と同時に、前記第１の偏波とは異なる第２の偏波を有するローカル受信アンテナから、前記キャリア周波数でローカル受信無線信号を受信し、
前記オンオフキーイング復調器により、前記ローカル受信無線信号をローカル受信ベースバンド信号に復調し、
クロック及びデータ回復回路により、前記ローカル受信ベースバンド信号を受信し、
前記クロック及びデータ回復回路により、前記ローカル受信ベースバンド信号にタイミング回復を実施し、
前記クロック及びデータ回復回路により、回復デジタル表現のローカルクロックに同期した前記ローカル受信ベースバンド信号の前記デジタル表現を回復し、
前記回復デジタル表現を備えたデータ信号を前記ローカルソース装置に提供することを備える方法。
２１．  無線通信装置であって、
前記無線通信装置は、
第１の偏波を有するローカル送信アンテナと、
前記第１の偏波とは異なる第２の偏波を有するローカル受信アンテナと、
前記ローカル送信アンテナに連結されるローカル無線送信機と、
前記ローカル受信アンテナに連結されるローカル無線受信機とを備え、
前記ローカル無線送信機は、
有線インタフェースの物理層からデータソースへの信号を受信し、ローカルクロックと同期したローカル送信デジタル信号を提供する有線受信機及びタイミング回復ブロックと、
前記ローカル送信デジタル信号を入力し、前記ローカル無線送信機によって実施されるフレーム構造及び符号化方式に応じて前記ローカル送信デジタル信号を再符号化して、再符号化送信デジタル信号を生成する高周波数送信回路と、を備え、
前記ローカル無線送信機は、
オンオフキーイングを使用して、ローカル送信ベースバンド信号を変調して、キャリア周波数を中心とするローカル送信無線信号を生成し、前記ローカル送信アンテナを通じて前記ローカル送信無線信号を送信するように構成され、
前記ローカル無線受信機は、
前記ローカル無線送信機による前記ローカル送信無線信号の送信と同時に行われる、同一のキャリア周波数を中心とする対応するリモートソース送信機からの送信に応じて、受信無線信号を生成し、
前記ローカル無線受信機は、
オンオフキーイング復調器と、
前記オンオフキーイング復調器に連結される無線クロック／データ回復部と、
高周波数受信回路と、
有線送信機ブロックと、を備え、
前記オンオフキーイング復調器は、前記受信無線信号を入力し、前記ローカル受信無線信号をローカル受信ベースバンド信号に復調するように構成され、
前記無線クロック／データ回復部は、
（ｉ）前記ローカル受信ベースバンド信号を受信し、
（ｉｉ）ローカルクロックに対して同期した、前記受信したベースバンド信号のデジタル表現を含む、回復無線データ信号を生成し、
前記高周波数受信回路は、
前記ローカルクロックから動作して、前記データソースへの前記有線インタフェースに使用される通信プロトコルのリンク層要件に応じて、前記回復無線データ信号におけるデータを再符号化し、
前記有線送信機ブロックは、
前記高周波数受信回路から前記データ及びクロックを取り、前記ローカル処理装置への前記有線接続への前記有線プロトコルの物理層要件に応じて、前記データ及びクロックを出力する無線通信装置。
２２．  ２１．に記載の無線通信装置において、
動作中の前記高周波数受信回路は、さらに、クロックのリモート有線クロックに同期したクロックを再生成するように構成される無線通信装置。
２３．  ２１．に記載の無線通信装置において、
前記高周波数送信回路及び高周波数受信回路は、各入力デジタルデータ信号を未変調で引き渡す無線通信装置。
２４．  ２１．に記載の無線通信装置において、
前記ローカル無線送信機は、受信したデジタルデータにデュオバイナリ符号化を実施して、前記ローカル送信デジタル信号を生成する、無線通信装置。
２５．  ２１．に記載の無線通信装置において、
前記高周波数送信機回路は、前方誤り訂正符号化を実施し、前記高周波数受信回路は、前方誤り訂正復号化を実施する無線通信装置。
２６．  無線通信装置であって、
第１の偏波を有するローカル送信アンテナと、
前記第１の偏波とは異なる第２の偏波を有するローカル受信アンテナと、
前記ローカル送信アンテナに連結されるローカル無線送信機と、
前記ローカル受信アンテナに連結されるローカル無線受信機と、を備え、
前記ローカル無線送信機は、
有線インタフェースの物理層からデータソースへの信号を受信し、ローカルクロックと同期したローカル送信デジタル信号を提供し、
前記ローカル無線送信機によって実施されるフレーム構造及び符号化方式に応じて、前記ローカル送信データ信号を再符号化して、再符号化送信デジタル信号を生成し、
オンオフキーイングを使用して、前記ローカル送信ベースバンド信号を変調して、キャリア周波数を中心とするローカル送信無線信号を生成し、
前記ローカル送信アンテナを通じて前記ローカル送信無線信号を送信するように構成され、
前記ローカル無線受信機は、
前記ローカル無線送信機による前記ローカル送信無線信号の送信と同時に行われる、同一のキャリア周波数を中心とする対応するリモートソース送信機からの送信に応じて、受信無線信号を生成し、
前記受信無線信号を入力し、前記ローカル受信無線信号をローカル受信ベースバンド信号に復調し、
ローカルクロックに対して同期した、前記受信したベースバンド信号のデジタル表現を含む、回復無線データ信号を生成し、
前記データソースへの前記有線インタフェースに使用される通信プロトコルのリンク層要件に応じて、前記回復無線データ信号におけるデータを再符号化し、
前記ローカル処理装置への前記有線接続の前記有線プロトコルの物理層要件に応じて、前記再符号化されたデータを出力するように構成される無線通信装置。